(57)【要約】【課題】材料費、工数増加を招くことなく、簡単な構成で灯具の撓みを防止することが可能な照明器具を提供する。【解決手段】被取付面に取り付けられる器具本体部２１と器具本体カバー２３とを有する長尺状の器具本体２と、器具本体カバー２３の長手方向の両端部で固定され、ＬＥＤ３３を内部に備えた長尺状の灯具３と、器具本体カバー２３と灯具３との互いの取付面部に形成された係止構造に器具本体カバー２３側から係止されて灯具３と器具本体カバー２３とを連結し、灯具３に作用する負荷による灯具３の変形を抑制するクリップ４とを備えた。【選択図】図３
2015002058.tif 000002
【特許請求の範囲】
【請求項１】
被取付面に取り付けられる器具本体と器具本体カバーとを有する長尺状の器具本体と、
前記器具本体カバーの長手方向の両端部で固定され、光源を内部に備えた長尺状の灯具と、
前記器具本体カバーと前記灯具との互いの取付面部に形成された係止構造に前記器具本体カバー側から係止されて前記灯具と前記器具本体カバーとを連結し、前記灯具に作用する負荷による前記灯具の変形を抑制するクリップとを備えた
ことを特徴とする照明器具。
【請求項２】
前記クリップは、板バネを折曲して形成され、断面コ字状のバネ部と、前記バネ部の両端に形成された一対の挟み込み部とを有し、
前記係止構造は、前記クリップの前記挟み込み部によって挟み込まれる一対の被挟み込み部を有する
ことを特徴とする請求項１記載の照明器具。
【請求項３】
前記灯具は、前記器具本体カバーとの取付面部に、前記器具本体カバーとは反対側に凹んだ一対の溝部と、前記一対の溝部のそれぞれの開口縁に形成され、前記一対の溝部の一部を覆うように突出した一対の突出片とを備えており、
前記器具本体カバーは、前記灯具との取付面部に、前記一対の溝部の前記一対の突出片で覆われていない部分に連通する一対のクリップ取付孔を有し、
前記突出片と、前記突出片に重なる前記器具本体カバー部分とで前記被挟み込み部が形成されている
ことを特徴とする請求項２記載の照明器具。
【請求項４】
前記一対の被挟み込み部の前記一対の突出片は、前記一対の溝部の開口縁のうち、互いに反対側の縁から内側に向けて突出して形成されており、
前記クリップの前記一対の挟み込み部は、前記バネ部の両端を内側に折り曲げ、更にその先端部を外側に折り返すことで、外側に向けて開口するよう形成されている
ことを特徴とする請求項３記載の照明器具。
【請求項５】
前記灯具は、前記光源と、前記光源を内部に収容する中空状で、前記一対の溝部が形成されて前記器具本体カバーに取り付けられる長尺状のカバーと、前記カバーの前記器具本体カバーとの取付面部の内面側に重ねて取り付けられ、前記器具本体カバーと反対側の面に前記光源が固定された長尺状の補強部とを備えた
ことを特徴とする請求項１〜請求項４の何れか一項に記載の照明器具。
【請求項６】
前記灯具は、前記光源と、前記光源が固定されると共に、前記光源の固定側の面と反対側の面に前記一対の溝部が形成されて前記器具本体カバーに取り付けられる長尺状の補強部と、前記補強部に固定されて前記光源を覆う長尺状のカバーとを備え、前記カバーは、その短手方向の両端が前記補強部の短手方向の両端に設けられた溝に嵌め込まれて前記補強部に固定されている
ことを特徴とする請求項１〜請求項４の何れか一項に記載の照明器具。
【請求項７】
前記補強部は金属製であり、ヒートシンクとしても機能する
ことを特徴とする請求項５又は請求項６記載の照明器具。
【請求項８】
前記係止構造は、前記器具本体カバーの長手方向の中央部に設けられており、前記中央部で前記灯具と前記器具本体カバーとが前記クリップにより連結されている
ことを特徴とする請求項１〜請求項７の何れか一項に記載の照明器具。
【請求項９】
前記係止構造は、前記器具本体カバーの長手方向に複数設けられており、それぞれの設置箇所で前記器具本体カバーと前記灯具とが前記クリップにより連結されている
ことを特徴とする請求項１〜請求項７の何れか一項に記載の照明器具。
【請求項１０】
前記光源は、発光手段としてＬＥＤを備えた
ことを特徴とする請求項１〜請求項９の何れか一項に記載の照明器具。
【発明の詳細な説明】
【技術分野】
【０００１】
本発明は照明器具に関する。
【背景技術】
【０００２】
従来使用されている蛍光灯はガラス管が主な構成部材であった。近年では、蛍光灯からＬＥＤ光源への代替が進んでおり、ＬＥＤ光源を使用した灯具を有する照明器具は、樹脂カバー、プリント基板、アルミ形材などから構成されている。ＬＥＤ光源を使用した灯具は、加工の容易さや低コスト化の観点から、蛍光灯と比較して強度がない材料、又は自重が重い材料を用いて構成されており、天井等に装着された際に長手方向中央部に撓みが発生し、垂れ下がっていた。
【０００３】
そこで、これを防ぐ方法として、肉厚が比較的薄いカバーを二重に設け、自重方向の強度を確保する方法（例えば特許文献１参照）や、肉厚を厚くしてカバーの強度を上げる方法、また、取付支点を複数設け、取付支点間を短くして断面応力を強くする方法などがある。
【先行技術文献】
【特許文献】
【０００４】
【特許文献１】特開２０１２−９４４７０号公報（要約）
【発明の概要】
【発明が解決しようとする課題】
【０００５】
しかしながら、従来の方法は、カバーの二重化、材料の肉厚化による材料費の増加を招き、また取付支点を追加する方法においても、加工、組立工数の増加に伴う製品単価の増加を招く傾向にあった。
【０００６】
本発明はこのような点を鑑みなされたもので、材料費、工数増加を招くことなく、簡単な構成で灯具の撓みを防止することが可能な照明器具を提供することを目的とする。
【課題を解決するための手段】
【０００７】
本発明に係る照明器具は、被取付面に取り付けられる器具本体と器具本体カバーとを有する長尺状の器具本体と、器具本体カバーの長手方向の両端部で固定され、光源を内部に備えた長尺状の灯具と、器具本体カバーと灯具との互いの取付面部に形成された係止構造に器具本体カバー側から係止されて灯具と器具本体カバーとを連結し、灯具に作用する負荷による灯具の変形を抑制するクリップとを備えたものである。
【発明の効果】
【０００８】
本発明によれば、材料費、工数増加を招くことなく、簡単な構成で灯具の撓みを防止することが可能な照明器具を得ることができる。
【図面の簡単な説明】
【０００９】
【図１】本発明の実施の形態１における照明器具の斜視図である。
【図２】図１の照明器具の分解斜視図である。
【図３】図１の照明器具の短手断面分解図である。
【図４】照明器具が撓む様子を示す図である。
【図５】図２のクリップの斜視図である。
【図６】図２のクリップによる連結構造の説明図で、照明器具の要部断面図である。
【図７】図５のクリップの変形例１を示す図である。
【図８】図５のクリップの変形例２を示す図である。
【図９】本発明の実施の形態２における照明器具の灯具の断面図である。
【発明を実施するための形態】
【００１０】
以下、本発明の実施の形態を、図面に基づいて説明する。なお、以下に示す図面の形態によって本発明が限定されるものではない。また、各図において同一の構成には同一の符号を付している。
【００１１】
実施の形態１．
図１は、本発明の実施の形態１における照明器具の斜視図である。
照明器具１は天井など被取付部に取り付けられる器具本体２と、器具本体２に取り付けられる灯具３とを備えている。
【００１２】
図２は、図１の照明器具の分解斜視図である。図３は、図１の照明器具の短手断面分解図である。なお、図３の灯具は、短手断面形状が図１、図２に比べて平たい形状となっている等、図１、図２と多少異なっているが、図３は、照明器具の構造説明図として参照されたい。後述の該当図も同様である。
器具本体２は、灯具３側に点灯装置ユニット２２が取り付けられた器具本体部２１と、点灯装置ユニット２２を覆うように器具本体部２１に取り付けられる金属製の器具本体カバー２３とを備えており、全体として長尺状に形成されている。点灯装置ユニット２２は、図示しないが、点灯装置、バッテリー及び制御ユニットを備えている。
【００１３】
器具本体カバー２３は、灯具３が取り付けられる長板状の平面部２４と、平面部２４の短手方向の両端から広がるように傾斜する傾斜部２５と、傾斜部２５の端部から互いに対向する方向に延びる垂直部２６とを有している。平面部２４の長手方向両端には、灯具３を固定するための一対の灯具取付孔２４ａが設けられており、一対の灯具取付孔２４ａの中間には、一対の灯具取付孔２４ａ同士を結んだ線を中心として直交するように一対のクリップ取付孔２４ｂが並んで配置されている。また、傾斜部２５の長手方向両端のそれぞれには、器具本体カバー２３を器具本体部２１に取り付けるための一対の本体取付孔２５ａが設けられている。
【００１４】
灯具３は、図３に示すように、ＬＥＤモジュール３１と、ＬＥＤモジュール３１を取り付けるためのＬＥＤモジュール取付面３４ａを有する長尺状の補強部３４と、ＬＥＤモジュール３１及び補強部３４を内部に収容し、ＬＥＤモジュール３１から出射される光を透過させる透光性の長尺状のカバー３５とを備えている。ＬＥＤモジュール３１は、長板状の基板３２上に、複数のＬＥＤ３３が長手方向に間隔を空けて実装された構成を有している。ここでは、二つのＬＥＤモジュール３１を並列に配置した構成を図示しているが、この構成に限られたものではなく、一列でもよいし、更に複数列でも良い。
【００１５】
カバー３５は、長尺状で断面楕円弧状の発光面部３６と、発光面部３６の短手方向の両端から内側に傾斜する一対の傾斜部３７と、一対の傾斜部３７同士を連結する長板状の取付面部３８とを有しており、中空状に構成されている。
【００１６】
カバー３５の取付面部３８には、器具本体カバー２３とは反対側に凹んだ一対の溝部３ａが形成されている。一対の溝部３ａの開口縁のうち、互いに反対側の縁には、内側に突出して一対の溝部３ａの開口面の一部を覆う突出片３ｂが形成されている。一対の溝部３ａにおいて突出片３ｂで覆われていない開口部分は、一対のクリップ取付孔２４ｂに連通している。突出片３ｂと突出片３ｂに重なる器具本体カバー２３部分とで被挟み込み部３ｃが形成されている。また、器具本体カバー２３の一対のクリップ取付孔２４ｂと、灯具３のカバー３５の一対の溝部３ａ及び一対の突出片３ｂとにより本発明の係止構造が構成されている。
【００１７】
補強部３４は、カバー３５の取付面部３８の内面に重ねて取り付けられており、補強部３４のＬＥＤモジュール取付面３４ａの表面にＬＥＤモジュール３１が取り付けられている。補強部３４は、ＬＥＤモジュール３１が取り付けられた状態で、カバー３５の長手方向端部の開口からカバー３５内に差し込まれてカバー３５に取り付けられる。補強部３４は金属製であり、ヒートシンクとしても機能している。
【００１８】
以上のように構成された灯具３は、その長手方向端部のエンドキャップ３９に設けられたカバー取付孔３９ａにねじ３９ｂが通され、器具本体カバー２３の灯具取付孔２４ａに螺合されることで器具本体カバー２３に固定されている。
【００１９】
灯具３は、長手方向両端のエンドキャップ３９部分で器具本体カバー２３に固定されただけであると、灯具３に作用する負荷により灯具３が変形、具体的には図４に示すように中央部が撓む。よって、このような撓みを抑制すべく、クリップ４で器具本体カバー２３と灯具３とを連結している。なお、灯具３に作用する負荷とは、灯具３の自重の他、点灯時に補強部３４が長手方向に熱膨張することにより生じる負荷もある。補強部３４は点灯時に長手方向に熱膨張して伸長し、その伸長が器具本体部２１により制限されることにより負荷が生じるのである。以下、クリップ４の構造及びクリップ４による連結構造について説明する。
【００２０】
図５は、図２のクリップの斜視図である。図６は、図２のクリップによる連結構造の説明図で、照明器具の要部断面図である。
クリップ４は板バネを折曲して形成され、断面コ字状のバネ部４１と、バネ部４１の両端を内側に折り曲げ、更にその先端部を外側に折り返して形成された一対の挟み込み部４２とを有している。
【００２１】
このように構成されたクリップ４を用いて器具本体カバー２３と灯具３とを連結する際には、まず、器具本体カバー２３の一対のクリップ取付孔２４ｂと、灯具３の一対の溝部３ａとが連通するように位置合わせする。なお、器具本体カバー２３と灯具３とをねじ３９ｂを用いて固定済であれば、位置合わせされた状態となっている。そして、クリップ４を、器具本体カバー２３と灯具３との互いの取付面部に形成した係止構造に係止させる。すなわち、クリップ４を、バネ部４１のバネ性を利用して一対の挟み込み部４２が互いに近づくように変形させる。そして、その状態で一対の挟み込み部４２の先端爪部４２ａを一対の溝部３ａ内に挿入し、一対の挟み込み部４２で一対の被挟み込み部３ｃを挟み込んだ状態とし、クリップ４の変形を解除する。つまり、突出片３ｂと突出片３ｂに重なる器具本体カバー２３部分とを一対の挟み込み部４２でまとめて挟み込む。これにより、器具本体カバー２３と灯具３とが連結される。
【００２２】
なお、クリップ４の強度は、クリップ幅ｗの大小に比例するため、灯具３に作用する負荷に応じてクリップ幅ｗを設定すればよい。
【００２３】
以上説明したように、本実施の形態１によれば、長手方向の中央部が撓もうとする灯具３を、クリップ４で器具本体カバー２３に連結させ、いわば上方側に引き上げることにより、灯具３の断面応力を補助し、灯具３の撓みを抑制することができる。また、灯具３の撓みを抑制する部材として、板バネを折曲して形成したクリップ４を用い、そのクリップ４を器具本体カバー２３と灯具３との互いの取付面部に形成した係止構造に係止させるだけでよいため、材料費、工数の増加を招くことなく、灯具３の撓みを抑制できる。
【００２４】
また、本実施の形態１にて、クリップ４は、図５に示すように断面コ字状のバネ部４１と一対の挟み込み部４２とを有する形状として説明したが、図５の形状に限定されるものではなく、灯具３の断面変形を抑制すべく器具本体２と灯具３とを連結する構成であればよい。具体的には例えば、以下のように種々変形実施可能である。
【００２５】
図７は、図５のクリップの変形例１を示す図である。
図５のクリップ４では、三角形状の挟み込み部４２が形成されているが、図７では矩形状の挟み込み部４２Ａとしている。このように形成した場合も、図５のクリップ４を用いた場合と同様の効果を得ることができる。
【００２６】
図８は、図５のクリップの変形例２を示す図である。
図５のクリップ４では、挟み込み部４２が外側に向けて開口するように形成されている。そして、図５のクリップ４が係止される係止構造は、突出片３ｂが、一対の溝部３ａの開口縁のうち、互いに反対側の縁から内側に向けて突出するように形成されている。これに対し、図８では、挟み込み部４２Ｂが内側に向けて開口するように形成されている。この図８のクリップを用いる場合の係止構造は、一対の溝部３ａの開口縁のうち、互いに対向する側の縁に、外側に向けて突出する突出片とすればよい。このように構成した場合も、図５のクリップ４及び図３の係止構造を用いた場合と同様の効果を得ることができる。なお、ここで一例を挙げたように、係止構造についても、図３の構造に限られず、クリップ４を係止可能な構造であればよい。
【００２７】
また、本実施の形態１では、クリップ４の取付位置を、長手方向の中心一ヶ所として説明したが、取付箇所や取付個数はこれに限られたものではなく、適宜設定可能である。
【００２８】
また、本実施の形態１では、クリップ４の一対の挟み込み部４２が器具本体カバー２３の短手方向に並ぶようにして係止構造に係止される構成を示したが、クリップ４の一対の挟み込み部４２が長手方向に並ぶようにしてクリップ４が係止構造に係止される構成としてもよい。この場合も同様に灯具３の撓みを防止することができる。
【００２９】
実施の形態２．
本実施の形態２は、灯具３のカバー３５と補強部３４との取付作業の簡易化を図ったものである。
【００３０】
図９は、本発明の実施の形態２における照明器具の灯具の断面図である。以下、実施の形態２が実施の形態１と相違する点を中心に説明する。なお、実施の形態１と同様の構成部分について適用される変形例は、実施の形態２においても同様に適用される。
【００３１】
実施の形態２の照明器具は、実施の形態１の灯具３に代えて灯具３Ａを備えており、その他は実施の形態１と同様である。灯具３Ａは、ＬＥＤモジュール３１と、補強部３４Ａと、カバー３５Ａとを備えている。
【００３２】
補強部３４Ａは、ＬＥＤモジュール３１を取り付けるためのＬＥＤモジュール取付面３４ａと、器具本体カバー２３とは反対側に凹んだ一対の溝部３４ｂとを有している。この一対の溝部３４ｂは、灯具３を器具本体カバー２３の取付位置に位置させた状態で一対のクリップ取付孔２４ｂと対向する位置に形成されている。また、一対の溝部３４ｂの開口縁のうち、互いに反対側の縁には、内側に突出して一対の溝部３４ｂの開口面の一部を覆う突出片３４ｃが形成されている。
【００３３】
カバー３５Ａは、長尺状で断面楕円弧状の発光面部３６と、発光面部３６の両端から広がるように傾斜する一対の傾斜部３７と、一対の傾斜部３７の端部から互いに向かう方向に突出する突出部３８ａとを有し、突出部３８ａの先端が補強部３４Ａの短手方向両端に設けた溝３４ｄに嵌め込まれて補強部３４Ａに固定されている。
【００３４】
灯具３Ａと器具本体カバー２３とのクリップ４による連結は実施の形態１と同様であり、まず、クリップ４を、バネ部４１のバネ性を利用して一対の挟み込み部４２が互いに近づくように変形させる。そして、クリップ４の一対の挟み込み部４２の先端爪部４２ａを一対の溝部３４ｂ内に挿入し、一対の挟み込み部４２で一対の被挟み込み部３ｃを挟み込む。つまり、突出片３４ｃと突出片３４ｃに重なる器具本体カバー２３部分とを一対の挟み込み部４２でまとめて挟み込む。これにより、器具本体カバー２３と灯具３とが連結される。
【００３５】
以上説明したように本実施の形態２によれば、実施の形態１と同様の効果が得られると共に、以下の効果が得られる。すなわち、上記実施の形態１では、カバー３５の長手方向端部の開口から補強部３４をカバー３５内に差し込んで取り付けるのに対して、本実施の形態２では、カバー３５Ａの短手方向の両端部を補強部３４の溝３４ｄに嵌め込んで取り付けることができるため、作業工程を簡易化できる。
【００３６】
また、上記実施の形態１では、カバー３５と補強部３４とを重ねた構成としていたが、本実施の形態２では、補強部３４ＡのＬＥＤモジュール３１と反対側をカバー３５Ａで覆わずに露出させている。このため、放熱性も向上できる。
【符号の説明】
【００３７】
１  照明器具、２  器具本体、３  灯具、３Ａ  灯具、３ａ  溝部、３ｂ  突出片、３ｃ  被挟み込み部、４  クリップ、２１  器具本体部、２２  点灯装置ユニット、２３  器具本体カバー、２４  平面部、２４ａ  灯具取付孔、２４ｂ  クリップ取付孔、２５  傾斜部、２５ａ  本体取付孔、２６  垂直部、３１  ＬＥＤモジュール、３２  基板、３３  ＬＥＤ、３４  補強部、３４Ａ  補強部、３４ａ  ＬＥＤモジュール取付面、３４ｂ  一対の溝部、３４ｃ  突出片、３４ｄ  溝、３５  カバー、３５Ａ  カバー、３６  発光面部、３７  傾斜部、３８  取付面部、３８ａ  突出部、３９  エンドキャップ、３９ａ  カバー取付孔、３９ｂ  ねじ、４１  バネ部、４２  挟み込み部、４２ａ  先端爪部、４２Ａ  挟み込み部、４２Ｂ  挟み込み部。
【図１】
2015002058.tif 000003
【図２】
2015002058.tif 000004
【図３】
2015002058.tif 000005
【図４】
2015002058.tif 000006
【図５】
2015002058.tif 000007
【図６】
2015002058.tif 000008
【図７】
2015002058.tif 000009
【図８】
2015002058.tif 000010
【図９】
2015002058.tif 000011